【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
ビット深度スケーラビリティのためにピクセル領域において実行される逆トーン・マッピング演算を用いてピクチャの少なくとも一部分に関するインターレイヤ残差予測を生成することによって前記部分のピクチャ・データを符号化するエンコーダを有する装置であって、
前記逆トーン・マッピング演算が残差領域から前記ピクセル領域にシフトされる、前記装置。
【請求項２】
前記エンコーダは、エンハンスメント・レイヤ・リファレンスを用いた動き補償を実行してエンハンスメント・レイヤ予測を生成し、前記エンハンスメント・レイヤ予測をベース・レイヤ・リファレンスにトーン・マッピングしてトーン・マッピング予測を生成し、前記部分に関するベース・レイヤ残差を前記トーン・マッピング予測に結合して平滑ベース・レイヤ・リファレンスを取得し、前記平滑ベース・レイヤ・リファレンスを逆トーン・マッピングして逆トーン・マッピング予測を生成することによって、前記インターレイヤ残差予測を生成し、前記エンコーダは、前記逆トーン・マッピング予測を用いた動き推定および動き補償を実行して動きベクトルを取得し、前記動きベクトルならびに前記逆トーン・マッピング予測と前記ピクチャとの間の誤差を符号化して伝送する、請求項１に記載の装置。
【請求項３】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有している、請求項２に記載の装置。
【請求項４】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、請求項２に記載の装置。
【請求項５】
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、請求項２に記載の装置。
【請求項６】
マクロブロック・レベル・シンタックスのフラグを使用して、前記インターレイヤ残差予測の生成に対応するインターレイヤ残差予測モードを使用していることを示す、請求項２に記載の装置。
【請求項７】
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で送信する、請求項２に記載の装置。
【請求項８】
ビット深度スケーラビリティのためにピクセル領域において実行される逆トーン・マッピング演算を用いてピクチャの少なくとも一部分に関するインターレイヤ残差予測を生成することによって前記部分のピクチャ・データを符号化するステップを含む方法であって、
前記逆トーン・マッピング演算が残差領域から前記ピクセル領域にシフトされる、前記方法。
【請求項９】
前記インターレイヤ残差予測の生成が、
エンハンスメント・レイヤ・リファレンスを用いた動き補償を実行してエンハンスメント・レイヤ予測を生成するステップと、
前記エンハンスメント・レイヤ予測をベース・レイヤ・リファレンスにトーン・マッピングしてトーン・マッピング予測を生成するステップと、
前記部分に関するベース・レイヤ残差を前記トーン・マッピング予測に結合して平滑ベース・レイヤ・リファレンスを取得するステップと、
前記平滑ベース・レイヤ・リファレンスを逆トーン・マッピングして逆トーン・マッピング予測を生成するステップとを含み、
前記符号化するステップが、
前記逆トーン・マッピング予測を用いて動き推定および動き補償を実行して動きベクトルを取得するステップと、
前記動きベクトルならびに前記逆トーン・マッピング予測と前記ピクチャとの間の誤差を符号化して伝送するステップとをさらに含む、請求項８に記載の方法。
【請求項１０】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、請求項９に記載の方法。
【請求項１１】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、請求項９に記載の方法。
【請求項１２】
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、請求項９に記載の方法。
【請求項１３】
マクロブロック・レベル・シンタックスのフラグを使用して、前記インターレイヤ残差予測の生成に対応するインターレイヤ残差予測モードを使用していることを示す、請求項９に記載の方法。
【請求項１４】
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で送信するステップをさらに含む、請求項９に記載の方法。
【請求項１５】
ビット深度スケーラビリティのためにピクセル領域において実行される逆トーン・マッピング演算を用いてピクチャの少なくとも一部分に関するインターレイヤ残差予測を生成することによって前記部分のピクチャ・データを復号するデコーダを有する装置であって、
前記逆トーン・マッピング演算が残差領域から前記ピクセル領域にシフトされる、前記装置。
【請求項１６】
前記デコーダは、エンハンスメント・レイヤ・リファレンスを用いた動き補償を実行してエンハンスメント・レイヤ予測を生成し、前記エンハンスメント・レイヤ予測をベース・レイヤ・リファレンスにトーン・マッピングしてトーン・マッピング予測を生成し、前記部分に関するベース・レイヤ残差を前記トーン・マッピング予測に結合して平滑ベース・レイヤ・リファレンスを取得し、前記平滑ベース・レイヤ・リファレンスを逆トーン・マッピングして逆トーン・マッピング予測を生成することによって、前記インターレイヤ残差予測を生成し、前記デコーダは、前記逆トーン・マッピング予測を用いた動き推定および動き補償を実行して動きベクトルを取得し、前記動きベクトルならびに前記逆トーン・マッピング予測と前記ピクチャとの間の誤差に基づいて前記部分の再構築バージョンを生成する、請求項１５に記載の装置。
【請求項１７】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、請求項１６に記載の装置。
【請求項１８】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、請求項１６に記載の装置。
【請求項１９】
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、請求項１６に記載の装置。
【請求項２０】
マクロブロック・レベル・シンタックスのフラグを使用して、前記インターレイヤ残差予測の生成に対応するインターレイヤ残差予測モードを使用していることを示す、請求項１６に記載の装置。
【請求項２１】
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で受信する、請求項１６に記載の装置。
【請求項２２】
ビット深度スケーラビリティのためにピクセル領域において実行される逆トーン・マッピング演算を用いてピクチャの少なくとも一部分のインターレイヤ残差予測を生成することによって前記部分のピクチャ・データを復号するステップを含む方法であって、
前記逆トーン・マッピング演算が残差領域から前記ピクセル領域にシフトされる、前記方法。
【請求項２３】
前記インターレイヤ残差予測の生成が、
エンハンスメント・レイヤ・リファレンスを用いた動き補償を実行してエンハンスメント・レイヤ予測を生成するステップと、
前記エンハンスメント・レイヤ予測をベース・レイヤ・リファレンスにトーン・マッピングしてトーン・マッピング予測を生成するステップと、
前記部分に関するベース・レイヤ残差を前記トーン・マッピング予測に結合して平滑ベース・レイヤ・リファレンスを取得するステップと、
前記平滑ベース・レイヤ・リファレンスを逆トーン・マッピングして逆トーン・マッピング予測を生成するステップとを含み、
前記復号するステップが、
前記逆トーン・マッピング予測を用いて動き推定および動き補償を実行して動きベクトルを取得するステップと、
前記動きベクトルならびに前記逆トーン・マッピング予測と前記ピクチャとの間の誤差に基づいて前記部分の再構築バージョンを生成するステップとをさらに含む、請求項２２に記載の方法。
【請求項２４】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスと同じビット深度を有する、請求項２３に記載の方法。
【請求項２５】
前記動き補償を前記エンハンスメント・レイヤ・リファレンスおよびベース・レイヤ・アップサンプリング動きデータを用いて実行して前記エンハンスメント・レイヤ予測を生成し、前記エンハンスメント・レイヤ・リファレンスは前記ベース・レイヤ・リファレンスより大きいビット深度を有する、請求項２３に記載の方法。
【請求項２６】
前記ベース・レイヤ残差を空間的にアップサンプリングして、空間的にアップサンプリングされたベース・レイヤ残差を取得し、前記空間的にアップサンプリングされたベース・レイヤ残差を前記トーン・マッピング予測に結合して前記平滑ベース・レイヤ・リファレンスを取得する、請求項２３に記載の方法。
【請求項２７】
マクロブロック・レベル・シンタックスのフラグを使用して、前記インターレイヤ残差予測の生成に対応するインターレイヤ残差予測モードを使用していることを示す、請求項２３に記載の方法。
【請求項２８】
前記平滑ベース・レイヤ・リファレンスを指すエントリが前記エンハンスメント・レイヤの既存のリファレンス・リストに追加されるように、前記インターレイヤ残差予測の生成に対応するインターレイヤ残差予測モードを既存のインター・モードに埋め込んだ状態で受信するステップをさらに含む、請求項２３に記載の方法。
【請求項２９】
ビット深度スケーラビリティのためにピクセル領域において実行される逆トーン・マッピング演算を用いてピクチャの少なくとも一部分のインターレイヤ残差予測を生成することによって符号化された前記部分のピクチャ・データを含む、符号化されたビデオ信号データを有するコンピュータ可読記憶媒体であって、
前記逆トーン・マッピング演算が残差領域から前記ピクセル領域にシフトされる、前記コンピュータ可読記憶媒体。